(57)【要約】【課題】連続して配置されている複数のデータ信号線を一組として時分割で駆動する表示装置において、表示時の突き上げ電位変動を低減することのできる表示装置、およびその駆動方法を実現する。【解決手段】各水平期間に、データ信号出力のためにスイッチ切り替え信号Ｒon・Ｇon・ＢonをＯＮ期間とするデータ信号供給期間の前に、同時にスイッチ切り替え信号Ｒon・Ｇon・Ｂonを所定期間ＴだけＯＮ状態とする。この動作をデータ信号線の各組に対して同時に行う。そして、この所定期間Ｔに、各組ごとに各データ信号線に電位Ｖuniを出力し、各データ信号線を電位Ｖuniに予備充電する。その後、スイッチ切り替え信号Ｒon・Ｇon・Ｂonを順次ＯＮ期間として、選択した走査信号線ＧＬiの画素に、データ信号線を介してデータＤＡＴＡn（Ｒ）・ＤＡＴＡn（Ｇ）・ＤＡＴＡn（Ｂ）を供給する。【選択図】図１
2005115342.tif 000002
【特許請求の範囲】
【請求項１】
複数のデータ信号線と複数の走査信号線との各交点に画素を備え、上記複数のデータ信号線は連続して配置される複数のデータ信号線の組に分けられており、上記組のそれぞれでは、各データ信号線がデータ信号供給上流側の一端にスイッチを備えていて、上記各組の上記各スイッチのデータ信号供給上流側が互いに接続されている表示装置において、
上記各組のデータ信号線を、上記各組のデータ信号供給期間以外にも所定の電位に充電する充電動作が可能なことを特徴とする表示装置。
【請求項２】
上記各組は、表示色を構成するための３原色のそれぞれに対応した３つのデータ信号線からなることを特徴とする請求項１に記載の表示装置。
【請求項３】
上記各組は、隣接する２つのデータ信号線からなることを特徴とする請求項１に記載の表示装置。
【請求項４】
上記各組のデータ信号線は、上記各組の所定のデータ信号供給期間の直前のデータ信号供給期間後から、上記所定のデータ信号供給期間に上記各組の最初のデータ信号が供給開始されるまでに上記充電動作によって上記所定の電位に充電されることを特徴とする請求項１ないし３のいずれかに記載の表示装置。
【請求項５】
複数のデータ信号線と複数の走査信号線との各交点に画素を備え、上記複数のデータ信号線は連続して配置される複数のデータ信号線の組に分けられており、上記組のそれぞれでは、各データ信号線がデータ信号供給上流側の一端にスイッチを備えていて、上記各組の上記各スイッチのデータ信号供給上流側が互いに接続されている表示装置において、
上記データ信号線が、上記スイッチとは異なる補助スイッチを介して、所定の電位を出力する電位線に接続されていることを特徴とする表示装置。
【請求項６】
上記各組の上記補助スイッチは、上記各組の所定のデータ信号供給期間の直前のデータ信号供給期間後から、上記所定のデータ信号供給期間に上記各組の最初のデータ信号が供給開始されるまでの期間に導通することを特徴とする請求項５に記載の表示装置。
【請求項７】
上記データ信号線に、１水平期間ごとに極性が反転するデータ信号が供給されることを特徴とする請求項１ないし６のいずれかに記載の表示装置。
【請求項８】
上記所定の電位は、少なくとも２つの電位を取り得る交流電位であることを特徴とする請求項１ないし７のいずれかに記載の表示装置。
【請求項９】
上記所定の電位は、上記データ信号線に供給するデータ信号電位の最大値と最小値との略平均値であることを特徴とする請求項１ないし７のいずれかに記載の表示装置。
【請求項１０】
上記データ信号線に供給するデータ信号は極性が反転するデータ信号であり、上記所定の電位は、上記データ信号のプラス極性の最大値と最小値との略平均値と、上記データ信号のマイナス極性の最大値と最小値との略平均値とであることを特徴とする請求項１ないし７のいずれかに記載の表示装置。
【請求項１１】
上記データ信号線の充電電圧により各画素に配置されている素子に印加される電圧は、上記所定の電位の基準電位からの差の電圧であり、上記所定の電位は、素子に印加される電圧が最大となるように設定される電位すなわち、各データ信号供給期間に上記データ信号線に与え得る電位範囲のうち、上記基準電位から最も離れた電位であることを特徴とする請求項１ないし８のいずれかに記載の表示装置。
【請求項１２】
複数のデータ信号線と複数の走査信号線との各交点に画素を備え、上記複数のデータ信号線は連続して配置される複数のデータ信号線の組に分けられており、上記組のそれぞれでは、各データ信号線がデータ信号供給上流側の共通配線を介して時分割で駆動される表示装置を駆動する表示装置の駆動方法において、
上記各組のデータ信号線を、上記各組のデータ信号供給期間以外に所定の電位に充電する充電動作を行うことを特徴とする表示装置の駆動方法。
【請求項１３】
上記各組は、表示色を構成するための３原色のそれぞれに対応した３つのデータ信号線からなることを特徴とする請求項１２に記載の表示装置の駆動方法。
【請求項１４】
上記各組は、隣接する２つのデータ信号線からなることを特徴とする請求項１２に記載の表示装置の駆動方法。
【請求項１５】
上記各組のデータ信号線を、上記各組の所定のデータ信号供給期間の直前のデータ信号供給期間後から、上記所定のデータ信号供給期間に上記各組の最初のデータ信号が供給開始されるまでに、上記充電動作によって上記所定の電位に充電することを特徴とする請求項１２ないし１４のいずれかに記載の表示装置の駆動方法。
【請求項１６】
上記データ信号線に、１水平期間ごとに極性が反転するデータ信号を供給することを特徴とする請求項１２ないし１５のいずれかに記載の表示装置の駆動方法。
【請求項１７】
上記所定の電位は、少なくとも２つの電位を取り得る交流電位であることを特徴とする請求項１２ないし１６のいずれかに記載の表示装置の駆動方法。
【請求項１８】
上記所定の電位は、上記データ信号線に供給するデータ信号電位の最大値と最小値との略平均値であることを特徴とする請求項１２ないし１６のいずれかに記載の表示装置の駆動方法。
【請求項１９】
上記データ信号線に供給するデータ信号は極性が反転するデータ信号であり、上記所定の電位は、上記データ信号のプラス極性の最大値と最小値との略平均値と、上記データ信号のマイナス極性の最大値と最小値との略平均値とであることを特徴とする請求項１２ないし１６のいずれかに記載の表示装置の駆動方法。
【請求項２０】
上記データ信号線の充電電圧により各画素に配置されている素子に印加される電圧は、上記所定の電位の基準電位からの差の電圧であり、上記所定の電位は、素子に印加される電圧が最大となるように設定される電位すなわち、各データ信号供給期間に上記データ信号線に与え得る電位範囲のうち、上記基準電位から最も離れた電位であることを特徴とする請求項１２ないし１７のいずれかに記載の表示装置の駆動方法。
【発明の詳細な説明】
【技術分野】
【０００１】
本発明は、外部から供給されるデータが時分割でデータ信号線を介して表示部に供給され表示を行う表示装置に関するものである。
【背景技術】
【０００２】
マトリクス上に配された複数行分の走査信号線とデータ信号線との交点に位置する複数の画素が２次元配置されている画素部を備える表示装置において、液晶表示装置でＳＳＤ（Source Shared Driving：ソース・シェアド・ドライビング）と呼ばれているように、複数のデータ信号線からなる組を、該複数のデータ信号線に共通のデータ出力回路で駆動する駆動方式がある。例えば、ＲＧＢのそれぞれに対応したデータ信号線があり、１組の色を構成するＲＧＢのデータ信号線からなる各組を、データ信号線駆動回路に各組ごとにＲＧＢに共通に設けられたデータ出力回路で駆動する。このデータ出力回路によって各組ごとにＲＧＢの順でデータ信号線にデータを出力していくが、駆動速度を大きくしながら各データ信号線から画素へのデータ信号の書込み時間をある程度確保するために、各組の同色のデータ信号線を同時に駆動する。この方式によれば、データ信号線の数が非常に増えて密集した配線配置となるような表示装置の高解像度化の要求に対し、駆動速度の低下を避けながら、データ信号線駆動回路の小型化を達成することができる。
【０００３】
図９に、ＳＳＤによる駆動が行われる液晶表示装置の表示パネル１の構成例を示す。この表示パネル１は図示しない走査信号線駆動回路およびデータ信号線駆動回路によって駆動され、マトリクス上に配された複数行分の走査信号線ＧＬ…と、データ信号線（ソースバスライン）ＲＳＬ…・ＧＳＬ…・ＢＳＬ…とを備えている。同図では、走査信号線ＧＬ…は、データ信号線駆動回路に近い方（紙面上方）から順にＧＬ１、ＧＬ２、…、ＧＬn、…として示されている。また、連続するデータ信号線ＲＳＬ・ＧＳＬ・ＢＳＬがそれぞれ組をなしており、その一部が紙面左側からｎ−１番目の組のデータ信号線ＲＳＬn-1・ＧＳＬn-1・ＢＳＬn-1、ｎ番目の組のデータ信号線ＲＳＬn・ＧＳＬn・ＢＳＬn、ｎ＋１番目の組のデータ信号線ＲＳＬn+1・ＧＳＬn+1・ＢＳＬn+1として示されている。
【０００４】
また、走査信号線ＧＬ…とデータ信号線ＲＳＬ…・ＧＳＬ…・ＢＳＬ…との各交点には画素ＰＩＸが備えられ、これら複数の画素ＰＩＸ…が２次元配置されることにより画素部１１が構成されている。各画素ＰＩＸは、ＴＦＴ１２、液晶容量１３、補助容量１４を備えており、液晶容量１３および補助容量１４はＴＦＴ１２を介してデータ信号線ＲＳＬまたはＧＳＬまたはＢＳＬに接続されている。ＴＦＴ１２のゲートは走査信号線ＧＬに接続されている。また、液晶容量１３のＴＦＴ１２側の電極と対向する電極はコモン電極となっている。さらに補助容量１４のＴＦＴ１２側の電極と対向する電極は、補助容量線ＣｓＬに接続されている。
【０００５】
また、データ信号線ＲＳＬ…・ＧＳＬ…・ＢＳＬ…のそれぞれのデータ信号線駆動回路側（データ信号供給上流側）の一端はアナログスイッチＡＳＷに接続されている。同図では、データ信号線ＲＳＬn-1・ＧＳＬn-1・ＢＳＬn-1に対応してアナログスイッチＡＳＷＲn-1・ＡＳＷＧn-1・ＡＳＷＢn-1が、データ信号線ＲＳＬn・ＧＳＬn・ＢＳＬnに対応してアナログスイッチＡＳＷＲn・ＡＳＷＧn・ＡＳＷＢnが、データ信号線ＲＳＬn+1・ＧＳＬn+1・ＢＳＬn+1に対応してアナログスイッチＡＳＷＲn+1・ＡＳＷＧn+1・ＡＳＷＢn+1がそれぞれ設けられているところが示されている。Ｒのデータ信号線ＲＳＬに接続されているアナログスイッチＡＳＷＲはスイッチ切り替え信号ＲonによってＯＮ／ＯＦＦ駆動され、Ｇのデータ信号線ＧＳＬに接続されているアナログスイッチＡＳＷＧはスイッチ切り替え信号ＧonによってＯＮ／ＯＦＦ駆動され、Ｂのデータ信号線ＢＳＬに接続されているアナログスイッチＡＳＷＢはスイッチ切り替え信号ＢonによってＯＮ／ＯＦＦ駆動されるようになっている。
【０００６】
ここで、同じデータ信号線の組のアナログスイッチＡＳＷＲ・ＡＳＷＧ・ＡＳＷＢの、データ信号線と反対側（データ信号供給上流側）の端子は共通配線１５で互いに接続されている。なお、同図のように共通配線１５には、対応する組の番号が添え字されるものとする。この共通配線１５は、データ信号線駆動回路に組ごとに設けられたデータ出力回路に接続されている。すなわち、各データ出力回路は、同じ組の全データ信号線に共用される。同図では、アナログスイッチＡＳＷＲn-1・ＡＳＷＧn-1・ＡＳＷＢn-1がデータＤＡＴＡn-1を出力するデータ出力回路に、アナログスイッチＡＳＷＲn・ＡＳＷＧn・ＡＳＷＢnデータＤＡＴＡnを出力するデータ出力回路に、アナログスイッチＡＳＷＲn+1・ＡＳＷＧn+1・ＡＳＷＢn+1がデータＤＡＴＡn+1を出力するデータ出力回路に、それぞれ接続されている。
【０００７】
同じ組の各アナログスイッチＡＳＷは、例えばＲＧＢの順でＯＮ期間が移り変わるように切り替わり、共通のデータ出力回路からデータ信号線へのデータ供給を、ＲＧＢ間で切り替わるように開始または停止させることが可能なデータ切り替えスイッチとなっている。このように、データ信号線の各組に３つのデータ切り替えスイッチからなるデータ切り替えスイッチ部１６が設けられている。なお、同図のようにデータ切り替えスイッチ部１６には、対応する組の番号が添え字されるものとする。
【０００８】
次に、上記液晶表示装置の駆動方法について説明する。ここでは、ある水平期間、つまり、一走査分のデータ信号線へのデータ信号供給について説明する。図１０にタイミングチャートを示す。データ切り替えスイッチ部１６…には、それぞれ、Ｒon、Ｇon、Ｂonというスイッチ切り替え信号が時分割で供給され、またそれと同期して、データＤＡＴＡnは、ＤＡＴＡn（Ｒ）、ＤＡＴＡn（Ｇ）、ＤＡＴＡn（Ｂ）として入力される。ある水平期間１Ｈに走査信号線ＧＬiが選択され、この期間にデータ信号線の各組においてスイッチ切り替え信号のＯＮ期間がＲon→Ｇon→Ｂonの順で移り変わり、データがＤＡＴＡn（Ｒ）→ＤＡＴＡn（Ｇ）→ＤＡＴＡn（Ｂ）の順でデータ信号線に出力されていく。
【０００９】
ところで、ここでは、１Ｈ反転駆動とよばれる液晶駆動方法を用いており、１水平期間ごとにデータＤＡＴＡが、例えば、６Ｖをセンター電位として、プラス極性側に６Ｖ〜１０．５Ｖ、マイナス極性側に１．５Ｖ〜６Ｖの電位範囲から選択されるようになっている。液晶表示装置に使用される液晶材料は一般的に、液晶材料に印加される電圧を交流化し供給する。この従来例の場合、液晶材料に与えられる電位の一方がデータＤＡＴＡの電位であり、他方が６Ｖ近傍の電位となっている。ある１水平期間（１Ｈ）では、上記のようなプラス極性の電位（６Ｖ〜１０．５Ｖ）を有するデータＤＡＴＡを供給し、次の１Ｈでは上記のようなマイナス極性の電位（１．５Ｖ〜６Ｖ）を有するデータＤＡＴＡを供給する。そして、次のフレームではその極性が逆に転じるようにデータＤＡＴＡを供給し、液晶への交流駆動を行う。同図では、あるフレームにおいてデータ信号線に前の水平期間でマイナス極性のデータＤＡＴＡが供給され、現水平期間でプラス極性のデータＤＡＴＡが供給されるところが図示されている。
【００１０】
次に、図１１に、ＳＳＤによる駆動が行われる他の液晶表示装置の表示パネル２の構成例を示す。図９の表示パネル１と図示上同じとなる構成部材には同じ符号を付してある。なお、各組に対応する構成要素の符号には組の番号が添え字されるものとする。同図では、隣接する奇数番目のデータ信号線ＯＳＬおよび偶数番目のデータ信号線ＥＳＬという２つのデータ信号線を一組としている。データ信号線ＯＳＬはデータ信号線駆動回路側（データ信号供給上流側）の一端がアナログスイッチＡＳＷＯに接続されており、データ信号線ＥＳＬはデータ信号線駆動回路側（データ信号供給上流側）の一端がアナログスイッチＡＳＷＥに接続されている。アナログスイッチＡＳＷＯはスイッチ切り替え信号ＯＤＤonによってＯＮ／ＯＦＦ駆動され、アナログスイッチＡＳＷＥはスイッチ切り替え信号ＥＶＥＮonによってＯＮ／ＯＦＦ駆動されるようになっている。ここで、同じデータ信号線の組のアナログスイッチＡＳＷＯ・ＡＳＷＥの、データ信号線と反対側（データ信号供給上流側）の端子は共通配線２５で互いに接続されている。この共通配線２５は、データ信号線駆動回路に組ごとに設けられたデータ出力回路に接続されている。すなわち、各データ出力回路は、同じ組の全データ信号線に共用される。データ出力回路はデータＤＡＴＡを出力する。同じ組の各アナログスイッチＡＳＷは、例えばＡＳＷＯ→ＡＳＷＥの順でＯＮ期間が移り変わるように切り替わり、共通のデータ出力回路からデータ信号線へのデータ供給を、奇数番目と偶数番目との間で切り替わるように開始または停止させることが可能なデータ切り替えスイッチとなっている。このように、データ信号線の各組に２つのデータ切り替えスイッチからなるデータ切り替えスイッチ部２６が設けられている。
【００１１】
この液晶表示装置の駆動方法についても同様に、図１２に１Ｈ反転駆動のタイミングチャートを示す。データ切り替えスイッチ部２６…には、それぞれ、ＯＤＤon、ＥＶＥＮonというスイッチ切り替え信号が時分割で供給され、またそれと同期して、ｎ番目の組のデータＤＡＴＡnは、ＤＡＴＡn（ＯＤＤ）、ＤＡＴＡn（ＥＶＥＮ）として入力される。ある水平期間１Ｈにゲート信号線ＧＬiが選択され、この期間にデータ信号線の各組においてスイッチ切り替え信号のＯＮ期間がＯＤＤon→ＥＶＥＮonの順で移り変わり、データがＤＡＴＡn（ＯＤＤ）→ＤＡＴＡn（ＥＶＥＮ）の順でデータ信号線に出力されていく。
【特許文献１】特開平１１−３３８４３８号公報（公開日：平成１１年１２月１０日）
【特許文献２】特開平１０−３９２７８号公報（公開日：平成１０年２月１３日）
【特許文献３】米国特許出願公開２００１／００２０９２９号明細書
【発明の開示】
【発明が解決しようとする課題】
【００１２】
図１０のタイミングチャートをより詳しく説明すると、時分割でスイッチ切り替え信号Ｒon・Ｇon・ＢonをＯＮにして作用させ、データＤＡＴＡn（Ｒ）・ＤＡＴＡn（Ｇ）・ＤＡＴＡn（Ｂ）をデータ信号線ＲＳＬn・ＧＳＬn・ＢＳＬnに供給すると、まず、スイッチ切り替え信号Ｒonによりデータ信号線ＲＳＬnにデータＤＡＴＡn（Ｒ）が供給され、データ信号線ＲＳＬnはデータＤＡＴＡn（Ｒ）の電位に安定するまで充電される。このとき、スイッチ切り替え信号Ｇon・ＢonによってアナログスイッチＡＳＷＧn・ＡＳＷＢnはＯＦＦ状態であり、データ信号線ＧＳＬn・ＢＳＬnはフローティングになっているため、データ信号線ＲＳＬn・ＧＳＬn・ＢＳＬnが各々互いに容量性の結合を有していることにより、例えばデータ信号線ＲＳＬnに急激に電位の上昇が生じるとそれに伴い、フローティングになっている隣接のデータ信号線ＢＳＬn-1の電位とデータ信号線ＧＳＬnの電位、同様にデータ信号線ＢＳＬnの電位とは変化してしまう。ただしこの電位変動の図示は省略してある。
【００１３】
次に、スイッチ切り替え信号ＲonがＯＦＦとなってスイッチ切り替え信号ＧonがＯＮとなり、データ信号線ＧＳＬnにデータＤＡＴＡn（Ｇ）が供給される。データ信号線ＧＳＬnはデータＤＡＴＡn（Ｇ）の電位に安定するまで充電されるが、このときスイッチ切り替え信号ＲonによってアナログスイッチＡＳＷＲnはＯＦＦ状態であり、データ信号線ＲＳＬnはフローティングになっているため、データ信号線ＲＳＬnの電位がΔＶ１だけ変化する。これを突き上げ電位変動ΔＶ１と称する。同時にデータ信号線ＢＳＬn-1・ＢＳＬnの電位変化も起るが、これについては図示を省略してある。
【００１４】
そして、次にスイッチ切り替え信号ＧonがＯＦＦとなってスイッチ切り替え信号ＢonがＯＮとなり、データ信号線ＢＳＬnにデータＤＡＴＡn（Ｂ）が供給される。データ信号線ＢＳＬnはデータＤＡＴＡn（Ｂ）の電位に安定するまで充電されるが、このときスイッチ切り替え信号Ｒon・ＧonによってアナログスイッチＡＳＷＲn・ＡＳＷＧnはＯＦＦ状態であり、データ信号線ＲＳＬn・ＧＳＬnはフローティングになっている。従って、データ信号線ＲＳＬnの電位がデータ信号線ＢＳＬn-1の電位とデータ信号線ＧＳＬnの電位とによってデータ信号線ＲＳＬnのデータＤＡＴＡn（Ｒ）供給時から突き上げ電位変動がΔＶ１からΔＶ２へとさらに変化する。また、データ信号線ＧＳＬnの電位が、データ信号線ＲＳＬnの電位とデータ信号線ＢＳＬnの電位とによってデータ信号線ＧＳＬnのデータＤＡＴＡn（Ｇ）供給時から突き上げ電位変動ΔＶ３だけ変化する。
【００１５】
上記のように順次、時分割にデータがデータ信号線に供給されると、最後に充電されたデータＤＡＴＡn（Ｂ）のみが、上記容量結合による突き上げ電位変動を受けずに充電され、１水平期間に画素の充電を制御する走査信号の作用が終了すると、その時点での画素の電位による色が表示部で表示される。このときの容量性結合による突き上げ電位変動ΔＶは、上述の説明から分かるように、スイッチ切り替え信号にＲon→Ｇon→ＢonというＯＮ期間順序があることにより、各データ信号線に対応して累積する。このため、例えばデータＤＡＴＡn（Ｒ）・ＤＡＴＡn（Ｇ）・ＤＡＴＡn（Ｂ）を同電位にして表示上中間調のグレーを表示しようとした場合に、最終的なデータ信号線ＲＳＬn・ＧＳＬn・ＢＳＬnの電位ＶＲＳＬn・ＶＧＳＬn・ＶＢＳＬnは、ＶＲＳＬn＞ＶＧＳＬn＞ＶＢＳＬnの関係となってしまう。このとき、液晶表示モードがノーマリーホワイトの場合、青味が強いグレー表示となってしまう。このような課題に対して、特許文献１では、液晶材料の透過率波長依存性に着目し、スイッチの切り替え順番を入れ替えるなどの手段を講じている。
【００１６】
同様に、図１２でも、データＤＡＴＡn（ＯＤＤ）供給後のデータ信号線ＯＳＬnの電位が、データ信号線ＥＳＬnにデータ信号を供給するときに突き上げ電位変動ΔＶ１１だけ変化している。
【００１７】
また、このように、１Ｈ反転駆動などにより１水平期間ごとにデータ信号線の電位をプラス方向とマイナス方向との間で大きく変化させることにより、突き上げ電位変動ΔＶが特に大きくなるので、色味が変化するという表示劣化が生じている。
【００１８】
さらに、データ信号線ＲＳＬn・ＧＳＬn・ＢＳＬnにマイナス極性のデータを供給するときには、プラス極性とは逆に突き下げ電位変動が起こる。
【００１９】
また、以上の突き上げ電位変動ΔＶは、ＳＳＤ方式で駆動される液晶表示装置のようにデータ信号線が密に配置されてデータ信号線間の間隔が狭く、従ってデータ信号線間の静電容量結合が強いものとなっている表示装置で顕著になるものである。
【００２０】
本発明は、上記の問題点に鑑みてなされたものであり、その目的は、連続して配置されている複数のデータ信号線を一組として時分割で駆動する表示装置において、表示時の突き上げまたは突き下げ電位変動を低減することのできる表示装置、およびその駆動方法を実現することにある。
【課題を解決するための手段】
【００２１】
本発明に係る表示装置は、上記課題を解決するために、複数のデータ信号線と複数の走査信号線との各交点に画素を備え、上記複数のデータ信号線は連続して配置される複数のデータ信号線の組に分けられており、上記組のそれぞれでは、各データ信号線がデータ信号供給上流側の一端にスイッチを備えていて、上記各組の上記各スイッチのデータ信号供給上流側が互いに接続されている表示装置において、上記各組のデータ信号線を、上記各組のデータ信号供給期間以外にも所定の電位に充電する充電動作が可能なことを特徴としている。
【００２２】
また、本発明に係る表示装置は、上記課題を解決するために、上記各組は、表示色を構成するための３原色のそれぞれに対応した３つのデータ信号線からなることを特徴としている。
【００２３】
また、本発明に係る表示装置は、上記課題を解決するために、上記各組は、隣接する２つのデータ信号線からなることを特徴としている。
【００２４】
また、本発明に係る表示装置は、上記課題を解決するために、上記各組のデータ信号線は、上記各組の所定のデータ信号供給期間の直前のデータ信号供給期間後から、上記所定のデータ信号供給期間に上記各組の最初のデータ信号が供給開始されるまでに上記充電動作によって上記所定の電位に充電されることを特徴としている。
【００２５】
また、本発明に係る表示装置は、上記課題を解決するために、複数のデータ信号線と複数の走査信号線との各交点に画素を備え、上記複数のデータ信号線は連続して配置される複数のデータ信号線の組に分けられており、上記組のそれぞれでは、各データ信号線がデータ信号供給上流側の一端にスイッチを備えていて、上記各組の上記各スイッチのデータ信号供給上流側が互いに接続されている表示装置において、上記データ信号線が、上記スイッチとは異なる補助スイッチを介して、所定の電位を出力する電位線に接続されていることを特徴としている。
【００２６】
また、本発明に係る表示装置は、上記課題を解決するために、上記各組の上記補助スイッチは、上記各組の所定のデータ信号供給期間の直前のデータ信号供給期間後から、上記所定のデータ信号供給期間に上記各組の最初のデータ信号が供給開始されるまでの期間に導通することを特徴としている。
【００２７】
また、本発明に係る表示装置は、上記課題を解決するために、上記データ信号線に、１水平期間ごとに極性が反転するデータ信号が供給されることを特徴としている。
【００２８】
また、本発明に係る表示装置は、上記課題を解決するために、上記所定の電位は、少なくとも２つの電位を取り得る交流電位であることを特徴としている。
【００２９】
また、本発明に係る表示装置は、上記課題を解決するために、上記所定の電位は、上記データ信号線に供給するデータ信号電位の最大値と最小値との略平均値であることを特徴としている。
【００３０】
また、本発明に係る表示装置は、上記課題を解決するために、上記データ信号線に供給するデータ信号は極性が反転するデータ信号であり、上記所定の電位は、上記データ信号のプラス極性の最大値と最小値との略平均値と、上記データ信号のマイナス極性の最大値と最小値との略平均値とであることを特徴としている。
【００３１】
また、本発明に係る表示装置は、上記課題を解決するために、上記データ信号線の充電電圧により各画素に配置されている素子に印加される電圧は、上記所定の電位の基準電位からの差の電圧であり、上記所定の電位は、素子に印加される電圧が最大となるように設定される電位すなわち、各データ信号供給期間に上記データ信号線に与え得る電位範囲のうち、上記基準電位から最も離れた電位であることを特徴としている。
【００３２】
また、本発明に係る表示装置の駆動方法は、上記課題を解決するために、複数のデータ信号線と複数の走査信号線との各交点に画素を備え、上記複数のデータ信号線は連続して配置される複数のデータ信号線の組に分けられており、上記組のそれぞれでは、各データ信号線がデータ信号供給上流側の共通配線を介して時分割で駆動される表示装置を駆動する表示装置の駆動方法において、上記各組のデータ信号線を、上記各組のデータ信号供給期間以外に所定の電位に充電する充電動作を行うことを特徴としている。
【００３３】
また、本発明に係る表示装置の駆動方法は、上記課題を解決するために、上記各組は、表示色を構成するための３原色のそれぞれに対応した３つのデータ信号線からなることを特徴としている。
【００３４】
また、本発明に係る表示装置の駆動方法は、上記課題を解決するために、上記各組は、隣接する２つのデータ信号線からなることを特徴としている。
【００３５】
また、本発明に係る表示装置の駆動方法は、上記課題を解決するために、上記各組のデータ信号線を、上記各組の所定のデータ信号供給期間の直前のデータ信号供給期間後から、上記所定のデータ信号供給期間に上記各組の最初のデータ信号が供給開始されるまでに、上記充電動作によって上記所定の電位に充電することを特徴としている。
【００３６】
また、本発明に係る表示装置の駆動方法は、上記課題を解決するために、上記データ信号線に、１水平期間ごとに極性が反転するデータ信号を供給することを特徴としている。
【００３７】
また、本発明に係る表示装置の駆動方法は、上記課題を解決するために、上記所定の電位は、少なくとも２つの電位を取り得る交流電位であることを特徴としている。
【００３８】
また、本発明に係る表示装置の駆動方法は、上記課題を解決するために、上記所定の電位は、上記データ信号線に供給するデータ信号電位の最大値と最小値との略平均値であることを特徴としている。
【００３９】
また、本発明に係る表示装置の駆動方法は、上記課題を解決するために、上記データ信号線に供給するデータ信号は極性が反転するデータ信号であり、上記所定の電位は、上記データ信号のプラス極性の最大値と最小値との略平均値と、上記データ信号のマイナス極性の最大値と最小値との略平均値とであることを特徴としている。
【００４０】
また、本発明に係る表示装置の駆動方法は、上記課題を解決するために、上記データ信号線の充電電圧により各画素に配置されている素子に印加される電圧は、上記所定の電位の基準電位からの差の電圧であり、上記所定の電位は、素子に印加される電圧が最大となるように設定される電位すなわち、各データ信号供給期間に上記データ信号線に与え得る電位範囲のうち、上記基準電位から最も離れた電位であることを特徴としている。
【発明の効果】
【００４１】
本発明に係る表示装置は、以上のように、上記各組のデータ信号線を、上記各組のデータ信号供給期間以外にも所定の電位に充電する充電動作が可能であるので、各組のデータ信号線に各スイッチを切り替えることにより時分割でデータ信号を供給するデータ信号供給期間の前に、各組の全データ信号線を所定の電位に充電することができる。所定の電位を、このデータ信号供給期間でデータ信号線に与えることとなっている電位に近い電位に設定しておくことにより、データ信号供給期間におけるデータ信号の供給によって各データ信号線に与えられる電位変動は、所定の電位に充電しない場合の直前のデータ信号線の電位からの変動よりも小さくなる。従って、各組のデータ信号線へのデータ信号供給において、既にデータ信号の供給が終了しているデータ信号線の電位が、データ信号線どうしの静電容量結合によって大きく変動することを回避することができる。隣接する組のデータ信号線からの影響も軽減するには、全ての組のデータ信号線を同時に所定の電位に充電するなどすればよい。
【００４２】
以上により、連続して配置されている複数のデータ信号線を一組として時分割で駆動する表示装置において、表示時の突き上げまたは突き下げ電位変動を低減することのできる表示装置を実現することができるという効果を奏する。
【００４３】
また、本発明に係る表示装置は、以上のように、さらに上記各組は、表示色を構成するための３原色のそれぞれに対応した３つのデータ信号線からなるので、３原色のデータ信号による電位が安定して、３原色の組合せで表される色を正確に表示することができるという効果を奏する。
【００４４】
また、本発明に係る表示装置は、以上のように、さらに上記各組は、隣接する２つのデータ信号線からなるので、３原色の組合せで色を表示するときに、従来、３原色を表すデータ信号線が全て同じ組に属さないがゆえにデータ信号線の突き上げまたは突き下げ電位変動によって大きな色ずれが発生していたのに対し、正確な色で表示することができるという効果を奏する。
【００４５】
また、本発明に係る表示装置は、以上のように、さらに上記各組のデータ信号線は、上記各組の所定のデータ信号供給期間の直前のデータ信号供給期間後から、上記所定のデータ信号供給期間に上記各組の最初のデータ信号が供給開始されるまでに上記充電動作によって上記所定の電位に充電される。従って、所定のデータ信号供給期間にデータ信号線にデータ信号を供給するときに、各データ信号線に略所定の電位となっている状態からデータ信号を供給することになり、データ信号線の電位を安定させることができるという効果を奏する。
【００４６】
また、本発明に係る表示装置は、以上のように、上記データ信号線が、上記スイッチとは異なる補助スイッチを介して、所定の電位を出力する電位線に接続されているので、各組のデータ信号線に各スイッチを切り替えることにより時分割でデータ信号を供給するデータ信号供給期間の前に、各組の全データ信号線を、電位線から補助スイッチを介して所定の電位に充電することができる。所定の電位を、このデータ信号供給期間でデータ信号線に与えることとなっている電位に近い電位に設定しておくことにより、データ信号供給期間におけるデータ信号の供給によって各データ信号線に与えられる電位変動は、所定の電位に充電しない場合の直前のデータ信号線の電位からの変動よりも小さくなる。従って、各組のデータ信号線へのデータ信号供給において、既にデータ信号の供給が終了しているデータ信号線の電位が、データ信号線どうしの静電容量結合によって大きく変動することを回避することができる。隣接する組のデータ信号線からの影響も軽減するには、全ての組のデータ信号線を同時に所定の電位に充電するなどすればよい。
【００４７】
以上により、連続して配置されている複数のデータ信号線を一組として時分割で駆動する表示装置において、表示時の突き上げまたは突き下げ電位変動を低減することのできる表示装置を実現することができるという効果を奏する。
【００４８】
また、本発明に係る表示装置は、以上のように、さらに上記各組の上記補助スイッチは、上記各組の所定のデータ信号供給期間の直前のデータ信号供給期間後から、上記所定のデータ信号供給期間に上記各組の最初のデータ信号が供給開始されるまでの期間に導通する。従って、所定のデータ信号供給期間にデータ信号線にデータ信号を供給するときに、各データ信号線に略所定の電位となっている状態からデータ信号を供給することになり、データ信号線の電位を安定させることができるという効果を奏する。
【００４９】
また、本発明に係る表示装置は、以上のように、さらに上記データ信号線に、１水平期間ごとに極性が反転するデータ信号が供給されるので、データ信号線を１水平期間ごとに大きく異なる電位にしなければならない状況で、好適にデータ信号線の電位を安定させることができるという効果を奏する。
【００５０】
また、本発明に係る表示装置は、以上のように、さらに上記所定の電位は、少なくとも２つの電位を取り得る交流電位であるので、データ信号の電位が複数通りの電位範囲から選択されるように設定されている場合に、所定の電位を各電位範囲に対応させてデータ信号線の電位を安定させることができるという効果を奏する。
【００５１】
また、本発明に係る表示装置は、以上のように、さらに上記所定の電位は、上記データ信号線に供給するデータ信号の電位の最大値と最小値との略平均値であるので、データ信号の電位と所定の電位との差が小さくなる確率が高くなり、それだけデータ信号線の電位をよりよく安定させることができるという効果を奏する。
【００５２】
また、本発明に係る表示装置は、以上のように、さらに上記データ信号線に供給するデータ信号は極性が反転するデータ信号であり、上記所定の電位は、上記データ信号のプラス極性の最大値と最小値との略平均値と、上記データ信号のマイナス極性の最大値と最小値との略平均値とである。従って、プラス極性のデータ信号を供給するときにも、マイナス極性のデータ信号を供給するときにも、データ信号の電位と所定の電位との差が小さくなる確率が高くなり、それだけデータ信号線の電位をよりよく安定させることができるという効果を奏する。
【００５３】
また、本発明に係る表示装置は、以上のように、上記データ信号線の充電電圧により各画素に配置されている素子に印加される電圧は、上記所定の電位の基準電位からの差の電圧であり、上記所定の電位は、素子に印加される電圧が最大となるように設定される電位すなわち、各データ信号供給期間に上記データ信号線に与え得る電位範囲のうち、上記基準電位から最も離れた電位である。従って、従来の大きな突き上げ変動または突き下げ変動が逆に小さな突き下げ変動または突き上げ変動となり、各色の色味の差が生じない良好な表示品位が得られるという効果を奏する。
【００５４】
また、本発明に係る表示装置の駆動方法は、以上のように、上記各組のデータ信号線を、上記各組のデータ信号供給期間以外に所定の電位に充電する充電動作を行うので、各組のデータ信号線に時分割でデータ信号を供給するデータ信号供給期間の前に、各組の全データ信号線を所定の電位に充電することができる。所定の電位を、このデータ信号供給期間でデータ信号線に与えることとなっている電位に近い電位に設定しておくことにより、データ信号供給期間におけるデータ信号の供給によって各データ信号線に与えられる電位変動は、所定の電位に充電しない場合の直前のデータ信号線の電位からの変動よりも小さくなる。従って、各組のデータ信号線へのデータ信号供給において、既にデータ信号の供給が終了しているデータ信号線の電位が、データ信号線どうしの静電容量結合によって大きく変動することを回避することができる。隣接する組のデータ信号線からの影響も軽減するには、全ての組のデータ信号線を同時に所定の電位に充電するなどすればよい。
【００５５】
以上により、連続して配置されている複数のデータ信号線を一組として時分割で駆動する表示装置の駆動方法において、表示時の突き上げまたは突き下げ電位変動を低減することのできる表示装置の駆動方法を実現することができるという効果を奏する。
【００５６】
また、本発明に係る表示装置の駆動方法は、以上のように、上記各組は、表示色を構成するための３原色のそれぞれに対応した３つのデータ信号線からなるので、３原色のデータ信号による電位が安定して、３原色の組合せで表される色を正確に表示することができるという効果を奏する。
【００５７】
また、本発明に係る表示装置の駆動方法は、以上のように、上記各組は、隣接する２つのデータ信号線からなるので、３原色の組合せで色を表示するときに、従来、３原色を表すデータ信号線が全て同じ組に属さないがゆえにデータ信号線の突き上げまたは突き下げ電位変動によって大きな色ずれが発生していたのに対し、正確な色で表示することができるという効果を奏する。
【００５８】
また、本発明に係る表示装置の駆動方法は、以上のように、上記各組のデータ信号線を、上記各組の所定のデータ信号供給期間の直前のデータ信号供給期間後から、上記所定のデータ信号供給期間に上記各組の最初のデータ信号が供給開始されるまでに、上記充電動作によって上記所定の電位に充電する。従って、所定のデータ信号供給期間にデータ信号線にデータ信号を供給するときに、各データ信号線に略所定の電位となっている状態からデータ信号を供給することになり、データ信号線の電位を安定させることができるという効果を奏する。
【００５９】
また、本発明に係る表示装置の駆動方法は、以上のように、上記データ信号線に、１水平期間ごとに極性が反転するデータ信号を供給するので、データ信号線を１水平期間ごとに大きく異なる電位にしなければならない状況で、好適にデータ信号線の電位を安定させることができるという効果を奏する。
【００６０】
また、本発明に係る表示装置の駆動方法は、以上のように、上記所定の電位は、少なくとも２つの電位を取り得る交流電位であるので、データ信号の電位が複数通りの電位範囲から選択されるように設定されている場合に、所定の電位を各電位範囲に対応させてデータ信号線の電位を安定させることができるという効果を奏する。
【００６１】
また、本発明に係る表示装置の駆動方法は、以上のように、上記所定の電位は、上記データ信号線に供給するデータ信号電位の最大値と最小値との略平均値であるので、データ信号の電位と所定の電位との差が小さくなる確率が高くなり、それだけデータ信号線の電位をよりよく安定させることができるという効果を奏する。
【００６２】
また、本発明に係る表示装置の駆動方法は、以上のように、上記データ信号線に供給するデータ信号は極性が反転するデータ信号であり、上記所定の電位は、上記データ信号のプラス極性の最大値と最小値との略平均値と、上記データ信号のマイナス極性の最大値と最小値との略平均値とである。従って、プラス極性のデータ信号を供給するときにも、マイナス極性のデータ信号を供給するときにも、データ信号の電位と所定の電位との差が小さくなる確率が高くなり、それだけデータ信号線の電位をよりよく安定させることができるという効果を奏する。
【００６３】
また、本発明に係る表示装置の駆動方法は、以上のように、上記データ信号線の充電電圧により各画素に配置されている素子に印加される電圧は、上記所定の電位の基準電位からの差の電圧であり、上記所定の電位は、素子に印加される電圧が最大となるように設定される電位すなわち、各データ信号供給期間に上記データ信号線に与え得る電位範囲のうち、上記基準電位から最も離れた電位である。従って、従来の大きな突き上げ変動または突き下げ変動が逆に小さな突き下げ変動または突き上げ変動となり、各色の色味の差が生じない良好な表示品位が得られるという効果を奏する。
【発明を実施するための最良の形態】
【００６４】
〔実施の形態１〕
本発明の一実施形態について図１および図９に基づいて説明すると以下の通りである。図９は本実施の形態の表示装置であるＳＳＤ方式の液晶表示装置に備えられる表示パネル１の構成を示す。背景技術で説明したときと図示上は同じ構成となるので、前述の説明で用いた符号をそのまま用いることとし、動作の異なるところを適宜説明する。
【００６５】
本実施の形態では、この表示パネル１を図１のように駆動する。図１のタイミングチャートについて説明する。このタイミングチャートは前述と同様、１Ｈ反転駆動のタイミングチャートである。各水平期間において、スイッチ切り替え信号Ｒon・Ｇon・ＢonをアナログスイッチＡＳＷＲn・ＡＳＷＧn・ＡＳＷＢnの導通期間がこの順で移り変わるように時分割でＯＮ状態とし、データＤＡＴＡn（Ｒ）・ＤＡＴＡn（Ｇ）・ＤＡＴＡn（Ｂ）を順次データ信号線ＲＳＬn・ＧＳＬn・ＢＳＬnに供給する。本実施の形態では、各水平期間に、これらデータ信号出力のためにスイッチ切り替え信号Ｒon・Ｇon・ＢonをＯＮ期間とするデータ信号供給期間の前に、同時にスイッチ切り替え信号Ｒon・Ｇon・Ｂonを所定期間ＴだけＯＮ状態とし、同時にアナログスイッチＡＳＷＲn・ＡＳＷＧn・ＡＳＷＢnを導通させる。この動作をデータ信号線の各組に対して同時に行う。
【００６６】
そして、この所定期間Ｔには、各組のデータ出力回路から共通配線１５を介して各データ信号線に電位（所定の電位）Ｖuniを出力する。同図に示すように、所定期間Ｔで、各データ信号線は、電位Ｖuniに安定するように充電される。以下、この充電動作を予備充電と称する。なお、ここでは予備充電を走査信号線ＧＬiの選択信号が出力されているときに行う。従って、選択されている画素もデータ信号線側が電位Ｖuniとなるように充電される。
【００６７】
この電位Ｖuniの値として、１Ｈ反転駆動のプラス極性とマイナス極性とのそれぞれに対応した値が設定されている。プラス極性の電位範囲が６Ｖ〜１０．５Ｖ、マイナス極性の電位範囲が１．５Ｖ〜６Ｖであるとすると、電位Ｖuniは、プラス極性の電位範囲の最大値と最小値との平均値である８．２５Ｖと、マイナス極性の電位範囲の最大値と最小値との平均値である３．７５Ｖとに設定される。図１にはデータ信号線にプラス極性の電位のデータ信号を出力する水平期間が示されており、この場合には電位Ｖuniとして８．２５Ｖを出力する。
【００６８】
所定期間Ｔが終了すると、データ出力回路からの電位Ｖuniの出力の終了を待って、データ信号供給期間に入る。最初のデータＤＡＴＡn（Ｒ）をデータ信号線ＲＳＬnに供給するときには、既に電位Ｖuniに予備充電された状態からデータ信号による充電が開始される。従って、マイナス極性の状態からデータ信号の供給が開始される場合よりも、データ信号の電位とデータ信号供給開始時のデータ信号線の電位との差が小さくなり、データＤＡＴＡn（Ｒ）の供給によるデータ信号線ＲＳＬnの電位変動は小さい。データＤＡＴＡn（Ｒ）の供給が終了するとデータ信号線ＧＳＬnへのデータＤＡＴＡn（Ｇ）の供給が開始されるが、データ信号線ＧＳＬnも予備充電されていることによりデータＤＡＴＡn（Ｇ）の供給によるデータ信号線ＧＳＬnの電位変動は小さい。従って、データＤＡＴＡn（Ｇ）の供給の間にフローティングとなっているデータ信号線ＲＳＬnが、データＤＡＴＡn（Ｇ）の供給により受ける突き上げ電位変動ΔＶ１’は、図１０のΔＶ１よりも小さい。
【００６９】
データＤＡＴＡn（Ｇ）の供給が終了するとデータ信号線ＢＳＬnへのデータＤＡＴＡn（Ｂ）の供給が開始されるが、データ信号線ＢＳＬnも予備充電されていることによりデータＤＡＴＡn（Ｂ）の供給によるデータ信号線ＢＳＬnの電位変動は小さい。従って、データＤＡＴＡn（Ｂ）の供給の間にフローティングとなっているデータ信号線ＲＳＬnが、データＤＡＴＡn（Ｂ）の供給により受ける突き上げ電位変動が累積された合計の突き上げ電位変動ΔＶ２’は、図１０のΔＶ２よりも小さい。また、データＤＡＴＡn（Ｂ）の供給の間にフローティングとなっているデータ信号線ＧＳＬnが、データＤＡＴＡn（Ｂ）の供給により受ける突き上げ電位変動ΔＶ３’は、図１０のΔＶ３よりも小さい。
【００７０】
次の水平期間では、マイナス極性のデータ信号を供給するので、所定期間Ｔに３．７５Ｖの電位Ｖuniで予備充電を行う。このとき、各データ信号線の電位変化波形は、図１の所定期間Ｔに対応する電位変化波形を上下反転させた形状となる。このときは、突き下げ電位変動を低減することができる。
【００７１】
本実施の形態では、全ての組のデータ信号線を同時に電位Ｖuniに充電するので、隣接する組のデータ信号線からの影響による突き上げおよび突き下げ電位変動も軽減することができる。
【００７２】
このようにして、１水平期間ごとに電位Ｖuniの値を２通りに切り替えており、電位Ｖuniは交流電位となっている。データ信号を供給するときにマイナス極性の電位からプラス極性の電位へ、あるいはその逆に変化させるよりも、プラス極性の電位からプラス極性の電位へ、あるいはマイナス極性の電位からマイナス極性の電位へと変化させる方が、被供給データ信号線の電位変動が小さくなる。その結果、被供給データ信号線が他のデータ信号線に与える突き上げおよび突き下げ電位変動が小さくなる。従って、データ信号を供給するときの被供給データ信号線の電位変動ができるだけ小さくなるのが好ましい。
【００７３】
プラス極性の電位範囲のいずれの電位が、あるいはマイナス極性の電位範囲のいずれの電位がデータ信号として供給されるかは表示内容によるが、例えば電位範囲の平均値あたりがよく使用されるという使用電位の分布が仮定されれば、データ信号の電位と電位Ｖuniとの差の期待値を最も小さくするために、電位Ｖuniとして電位範囲の略平均値を用いるのがよい。これにより、プラス極性のデータ信号を供給するときにも、マイナス極性のデータ信号を供給するときにも、データ信号の電位と電位Ｖuniとの差が小さくなる確率が高くなり、それだけデータ信号線の電位をよりよく安定させることができる。
【００７４】
上記例はデータ信号の電位範囲が２通りの場合についてのものであったが、データ信号の電位が一般に複数通りの電位範囲から選択されるように設定されている場合に、電位Ｖuniを電位範囲の数に対応した交流電位に設定すれば、各電位範囲に対応させてデータ信号線の電位を安定させることができる。
【００７５】
なお、図１のタイミングチャートでは充電動作を行うための所定期間Ｔを走査信号線ＧＬiの選択期間内に設定していたが、これに限らず、走査信号線ＧＬiの選択期間外に行うようにしてもよい。前述したように、ＳＳＤ方式の液晶表示装置は表示の高解像度化に対応した駆動方式である。従って、走査信号線およびデータ信号線の数が多くて密に配置されている他、各画素の面積は小さい。従って、液晶容量１３と補助容量１４とを合わせた画素容量は、データ信号線の静電容量と比較して小さくなり、データ信号線のみを予備充電するのも、データ信号線と画素との両方を予備充電するのも充電量としては大差ない。従って、データ信号線のみを予備充電しておいてからデータ信号を供給するときに初めてＴＦＴ１２をＯＮ状態としても、画素へのデータ信号供給が完了した時点では、データ信号線および画素の電位は、データ信号線および画素の両方を予備充電した場合とほとんど変わらない。従って、このようにデータ信号線のみを予め充電しておけば、同じ画素に次のデータ信号の供給が開始されるまで、この画素に対する前回の水平期間（１フレーム前）でデータ信号が供給された画素の電位が維持される分、良好な表示に寄与する。
【００７６】
この考え方に基づけば、各データ信号線について、データ信号を供給する水平期間の直前の水平期間（１フレーム内の毎回の水平期間に対する直前の水平期間）でも、該直前の水平期間のデータ信号供給期間が終了した後であれば、予備充電が可能になる。このように、各組のデータ信号線は、各組の直前のデータ信号供給期間後から、次のデータ信号供給期間に各組の最初のデータ信号であるデータＤＡＴＡn（Ｒ）が供給開始されるまでに充電動作によって電位Ｖuniに充電されればよい。これにより、１水平期間ごとにデータ信号供給期間にデータ信号線にデータ信号を供給するときに、各データ信号線に電位Ｖuniとなっている状態からデータ信号を供給することになり、データ信号線の電位を安定させることができる。
【００７７】
ここで、特許文献２と本実施の形態との相違について説明する。特許文献２は、本願のようなデータ信号線どうしの静電容量結合を問題とするものではなく、点順次に駆動する構成が記載されていることからも分かるように、各画素へのデータ信号の供給期間が短いことに起因する画素の充電電位のばらつきを問題にしたものである。画素に前回のデータ信号の供給により与えられた電位の高低に対応して、次に同じ画素にデータ信号を供給した後の画素電位が異なるのは、各画素へのデータ信号供給期間として、データ信号線駆動回路から出力されるデータ信号の電位に達するまでの十分な時間が与えられていないからである。すなわち、データ信号の供給時間が一定であるために、データ信号による画素の充電を、充電開始時の画素の電位がデータ信号の電位から大きく離れている場合に、出力されるデータ信号の電位に十分近づいたと見なせるかなり手前で停止してしまっていることに起因するものである。この充電電位のずれは充電の時定数に対応しており、このことは該文献に記載されている。特許文献２ではこの充電電位のばらつきを回避するために水平期間の最初に選択画素を同時に同じ電位に充電し、データ信号供給期間終了時の電位を目標値通りにしようとするものである。
【００７８】
これに対して本実施の形態では、ＳＳＤ方式による駆動であることから分かるように、画素数が多く水平周波数が高いにも関わらず、各組ごとにデータ出力回路を設けているので１水平期間にＲＧＢの３つのデータ信号線にデータ信号を供給すればよく、各画素にデータ信号を供給する時間は十分ある。図１および図１０では各画素はデータ出力回路が出力するデータＤＡＴＡの電位となるまで充電される。またこれには、上述したように各画素容量が小さく、各画素容量を充電するのにあまり時間がかからないことも寄与している。従って、ＲＧＢの３つのデータ信号線にデータ信号を供給するのに余裕のある１水平期間では、図１で所定期間Ｔの長さを比較的自由に設定することができ、データ出力回路から３つのデータ信号線に同時に予備充電を行っても、各データ信号線をデータ出力回路が出力する電位Ｖuniに達するまでの十分な時間を得ることができる。図１には、予備充電により各データ信号線が最終的に電位Ｖuniに安定している状態が示されている。また、本実施の形態ではデータ信号線の静電容量が画素容量に対して十分に大きいので、予備充電がなされるのはデータ信号線であることが重要であり、画素の予備充電を目的としている特許文献２とは本質的に異なっている。
【００７９】
なお、本実施の形態において、以上は１Ｈ反転駆動の場合についての説明であった。これによれば、１水平期間ごとに極性が反転するデータ信号が供給されるので、データ信号線を１水平期間ごとに大きく異なる電位にしなければならない状況で、突き上げおよび突き下げ電位変動を低減して好適にデータ信号線の電位を安定させることができる。次に、ソースバスライン反転駆動やフレーム反転駆動の場合について説明する。
【００８０】
図２にソースバスライン反転駆動およびフレーム反転駆動の場合のタイミングチャートを示す。ソースバスライン反転駆動でもフレーム反転駆動でも、一つのデータ信号線（ソースバスライン）に着目すればフレームごとにデータ信号の極性が反転する。例えば、同図に示すようにＮフレームでデータＤＡＴＡnがマイナス極性であれば、Ｎ＋１フレームではデータＤＡＴＡnはプラス極性である。従って、各フレームにおいて最初の水平期間に走査信号線ＧＬ１を選択してデータ信号を供給する時に、データ信号線の電位の極性が反転する。これに対して同図に示すような、図１と同様の予備充電を行うことにより、最初の水平期間に対して必然的に予備充電がなされるので、上記極性反転時の突き上げまたは突き下げ電位変動を低減することができる。
【００８１】
また、データ信号の極性反転時が各フレームの最初の水平期間であることから、図３に示すように、垂直ブランク期間にのみ予備充電を行うようにしてもよい。このように、本実施の形態では、各組のデータ信号線は、各組の所定のデータ信号供給期間の直前のデータ信号供給期間後から、上記所定のデータ信号供給期間に各組の最初のデータ信号が供給開始されるまでに予備充電される。
【００８２】
以上述べたように、本実施の形態によれば、各組のデータ信号線を、各組のデータ信号供給期間以外にも電位Ｖuniに充電する充電動作が可能である。従って、連続して配置されている複数のデータ信号線を一組として時分割で駆動する表示装置において、表示時の突き上げまたは突き下げ電位変動を低減することのできる表示装置を実現することができる。
【００８３】
さらに、データ信号線の各組は、表示色を構成するためのＲＧＢという３原色のそれぞれに対応した３つのデータ信号線からなるので、３原色のデータ信号による電位が安定して、３原色の組合せで表される色を正確に表示することができる。
【００８４】
また、液晶容量１３のコモン電極側の電位をプラス極性とマイナス極性とに交互に切り替えて、データ信号線側の電位を１つの電位範囲から選択することにより交流駆動する場合もある。このようにデータ信号線側の電位を１つの電位範囲から選択する場合には、電位Ｖuniを、データ信号線に供給するデータ信号の電位の最大値と最小値との略平均値とすれよい。これによって、データ信号の電位と電位Ｖuniとの差が小さくなる確率が高くなり、それだけデータ信号線の電位をよりよく安定させることができる。
【００８５】
〔実施の形態２〕
本発明の他の実施形態について図４および図１１に基づいて説明すると以下の通りである。図１１は本実施の形態の表示装置であるＳＳＤ方式の液晶表示装置に備えられる表示パネル２の構成を示す。背景技術で説明したときと図示上は同じ構成となるので、前述の説明で用いた符号をそのまま用いることとし、動作の異なるところを適宜説明する。
【００８６】
本実施の形態では、この表示パネル２を図４のように駆動する。図４のタイミングチャートについて説明する。このタイミングチャートは前述と同様、１Ｈ反転駆動のタイミングチャートである。各水平期間において、スイッチ切り替え信号ＯＤＤon・ＥＶＥＮonをアナログスイッチＡＳＷＯn・ＡＳＷＥnの導通期間がこの順で移り変わるように時分割でＯＮ状態とし、データＤＡＴＡn（ＯＤＤ）・ＤＡＴＡn（ＥＶＥＮ）を順次データ信号線ＯＳＬn・ＥＳＬnに供給する。本実施の形態では、各水平期間に、これらデータ信号出力のためにスイッチ切り替え信号ＯＤＤon・ＥＶＥＮonをＯＮ期間とするデータ信号供給期間の前に、同時にスイッチ切り替え信号ＯＤＤon・ＥＶＥＮonを所定期間ＴだけＯＮ状態とし、同時にアナログスイッチＡＳＷＯn・ＡＳＷＥnを導通させる。この動作をデータ信号線の各組に対して同時に行う。
【００８７】
そして、この所定期間Ｔには、各組のデータ出力回路から共通配線２５を介して各データ信号線に電位（所定の電位）Ｖuniを出力する。同図に示すように、所定期間Ｔで、各データ信号線は、電位Ｖuniに安定するように予備充電される。なお、ここでは予備充電を走査信号線ＧＬiの選択信号が出力されているときに行う。従って、選択されている画素もデータ信号線側が電位Ｖuniとなるように充電される。この電位Ｖuniの値については実施の形態１で述べた通りである。
【００８８】
所定期間Ｔが終了すると、データ出力回路からの電位Ｖuniの出力の終了を待って、データ信号供給期間に入る。最初のデータＤＡＴＡn（ＯＤＤ）をデータ信号線ＯＳＬnに供給するときには、既に電位Ｖuniに予備充電された状態からデータ信号による充電が開始される。従って、マイナス極性の状態からデータ信号の供給が開始される場合よりも、データ信号の電位とデータ信号供給開始時のデータ信号線の電位との差が小さくなり、データＤＡＴＡn（ＯＤＤ）の供給によるデータ信号線ＯＳＬnの電位変動は小さい。データＤＡＴＡn（ＯＤＤ）の供給が終了するとデータ信号線ＥＳＬnへのデータＤＡＴＡn（ＥＶＥＮ）の供給が開始されるが、データ信号線ＥＳＬnも予備充電されていることによりデータＤＡＴＡn（ＥＶＥＮ）の供給によるデータ信号線ＥＳＬnの電位変動は小さい。従って、データＤＡＴＡn（ＥＶＥＮ）の供給の間にフローティングとなっているデータ信号線ＯＳＬnが、データＤＡＴＡn（ＥＶＥＮ）の供給により受ける突き上げ電位変動ΔＶ１１’は図１２のΔＶ１１よりも小さい。
【００８９】
次の水平期間では、マイナス極性のデータ信号を供給するので、所定期間Ｔにマイナス極性用の電位Ｖuniで予備充電を行う。このとき、各データ信号線の電位変化波形は、図４の所定期間Ｔに対応する電位変化波形を上下反転させた形状となる。このときは、突き下げ電位変動を低減することができる。
【００９０】
本実施の形態では、全ての組のデータ信号線を同時に電位Ｖuniに充電するので、隣接する組のデータ信号線からの影響による突き上げおよび突き下げ電位変動も軽減することができる。
【００９１】
なお、図４のタイミングチャートでは充電動作を行うための所定期間Ｔを走査信号線ＧＬiの選択期間内に設定していたが、これに限らず、走査信号線ＧＬiの選択期間外に行うようにしてもよいことは実施の形態１と同じである。各組のデータ信号線は、各組の直前のデータ信号供給期間後から、次のデータ信号供給期間に各組の最初のデータ信号であるデータＤＡＴＡn（ＯＤＤ）が供給開始されるまでに充電動作によって電位Ｖuniに充電されればよい。これにより、１水平期間ごとにデータ信号供給期間にデータ信号線にデータ信号を供給するときに、各データ信号線に電位Ｖuniとなっている状態からデータ信号を供給することになり、データ信号線の電位を安定させることができる。
【００９２】
また、ソースバスライン反転駆動やフレーム反転駆動の場合についても実施の形態１で述べた通りである。
【００９３】
以上述べたように、本実施の形態によれば、各組のデータ信号線を、各組のデータ信号供給期間以外にも電位Ｖuniに充電する充電動作が可能である。従って、連続して配置されている複数のデータ信号線を一組として時分割で駆動する表示装置において、表示時の突き上げまたは突き下げ電位変動を低減することのできる表示装置を実現することができる。
【００９４】
さらに、データ信号線の各組は、隣接する２つのデータ信号線からなるので、３原色の組合せで色を表示するときに、従来、３原色を表すデータ信号線が全て同じ組に属さないがゆえにデータ信号線の突き上げおよび突き下げ電位変動によって大きな色ずれが発生していたのに対し、正確な色で表示することができる。
【００９５】
〔実施の形態３〕
本発明のさらに他の実施形態について図５および図６に基づいて説明すると以下の通りである。図５は本実施の形態の表示装置であるＳＳＤ方式の液晶表示装置に備えられる表示パネル３の構成を示す。表示パネル３のうち背景技術で説明した図９の表示パネル１と図示上同じとなる構成部材には、前述の説明で用いた符号をそのまま用いることとし、動作の異なるところを適宜説明する。
【００９６】
表示パネル３は、図９の構成にさらに電位線Ｌuniを備え、各データ信号線が、アナログスイッチＡＳＷとは異なるアナログスイッチ（補助スイッチ）ＡＳＷＵを介して、電位線Ｌuniに接続されている構成である。
【００９７】
電位線Ｌuniは、実施の形態１で述べた電位Ｖuniを出力する電位線である。アナログスイッチＡＳＷＵは各データ信号線に対応して設けられ、例えばｎ番目の組のデータ信号線ＲＳＬn・ＧＳＬn・ＢＳＬnに対応してアナログスイッチＡＳＷＵＲn・ＡＳＷＵＧn・ＡＳＷＵＢnが設けられている。アナログスイッチＡＳＷＵは、データ信号線のデータ信号線駆動回路側（データ信号供給上流側）の一端と電位線Ｌuniとの間に挿入されており、これらの間の導通および遮断を行う。アナログスイッチＡＳＷＵの導通および遮断はスイッチ切り替え信号Ｕcltが制御し、スイッチ切り替え信号Ｕcltは表示パネル３の全アナログスイッチＡＳＷＵ…に共通となっている。
【００９８】
本実施の形態では、この表示パネル３を図６のように駆動する。図６のタイミングチャートについて説明する。このタイミングチャートは前述と同様、１Ｈ反転駆動のタイミングチャートである。各水平期間において、スイッチ切り替え信号Ｒon・Ｇon・ＢonをアナログスイッチＡＳＷＲn・ＡＳＷＧn・ＡＳＷＢnの導通期間がこの順で移り変わるように時分割でＯＮ状態とし、データＤＡＴＡn（Ｒ）・ＤＡＴＡn（Ｇ）・ＤＡＴＡn（Ｂ）を順次データ信号線ＲＳＬn・ＧＳＬn・ＢＳＬnに供給する。本実施の形態では、各水平期間に、これらデータ信号出力のためにスイッチ切り替え信号Ｒon・Ｇon・ＢonをＯＮ期間とするデータ信号供給期間の前に、スイッチ切り替え信号Ｕcltを所定期間ＴだけＯＮ状態とし、同時にアナログスイッチＡＳＷＵＲn・ＡＳＷＵＧn・ＡＳＷＵＢnを導通させる。この動作はデータ信号線の各組に対して同時に行われることになる。同図では電位線Ｌuniは１水平期間の間、電位Ｖuniとなっているが、少なくとも所定期間Ｔに電位Ｖuniとなっていればよい。これにより、この所定期間Ｔには、電位線ＬuniからアナログスイッチＡＳＷＵを介して各データ信号線に電位Ｖuniが出力される。同図に示すように、所定期間Ｔで、各データ信号線は、電位Ｖuniに安定するように予備充電される。
【００９９】
予備充電後のデータ信号供給動作は実施の形態１と同じであり、突き上げ電位変動ΔＶ１’・ΔＶ２’・ΔＶ３’は小さい。また、突き下げ電位変動も小さい。
【０１００】
本実施の形態によれば、各組のデータ信号線を、各組のデータ信号供給期間以外にも電位Ｖuniに充電する充電動作が可能である。従って、連続して配置されている複数のデータ信号線を一組として時分割で駆動する表示装置において、表示時の突き上げまたは突き下げ電位変動を低減することのできる表示装置を実現することができる。また、実施の形態１の他の効果も同様に得られる。
【０１０１】
なお、予備充電を走査信号線ＧＬiの選択期間外に行うようにしてもよいことに対応して、データ信号線の各組のアナログスイッチＡＳＷＵ…は、各組の所定のデータ信号供給期間の直前のデータ信号供給期間後から、上記所定のデータ信号供給期間に各組の最初のデータ信号が供給開始されるまでの期間に導通する。
【０１０２】
〔実施の形態４〕
本発明のさらに他の実施形態について図７および図８に基づいて説明すると以下の通りである。図７は本実施の形態の表示装置であるＳＳＤ方式の液晶表示装置に備えられる表示パネル４の構成を示す。表示パネル４のうち背景技術で説明した図１１の表示パネル２と図示上同じとなる構成部材には、前述の説明で用いた符号をそのまま用いることとし、動作の異なるところを適宜説明する。表示パネル４は、図１１の構成にさらに電位線Ｌuniを備え、各データ信号線が、アナログスイッチＡＳＷとは異なるアナログスイッチ（補助スイッチ）ＡＳＷＵを介して、電位線Ｌuniに接続されている構成である。
【０１０３】
電位線Ｌuniは、実施の形態３で述べたように電位Ｖuniを出力する電位線である。アナログスイッチＡＳＷＵは各データ信号線に対応して設けられ、例えばｎ番目の組のデータ信号線ＯＳＬn・ＥＳＬnに対応してアナログスイッチＡＳＷＵＯn・ＡＳＷＵＥnが設けられている。アナログスイッチＡＳＷＵは、データ信号線のデータ信号線駆動回路側（データ信号供給上流側）の一端と電位線Ｌuniとの間に挿入されており、これらの間の導通および遮断を行う。アナログスイッチＡＳＷＵの導通および遮断はスイッチ切り替え信号Ｕcltが制御し、スイッチ切り替え信号Ｕcltは表示パネル４の全アナログスイッチＡＳＷＵ…に共通となっている。
【０１０４】
本実施の形態では、この表示パネル４を図８のように駆動する。図８のタイミングチャートについて説明する。このタイミングチャートは前述と同様、１Ｈ反転駆動のタイミングチャートである。各水平期間において、スイッチ切り替え信号ＯＤＤon・ＥＶＥＮonをアナログスイッチＡＳＷＯn・ＡＳＷＥnの導通期間がこの順で移り変わるように時分割でＯＮ状態とし、データＤＡＴＡn（ＯＤＤ）・ＤＡＴＡn（ＥＶＥＮ）を順次データ信号線ＯＳＬn・ＥＳＬnに供給する。同図では電位線Ｌuniは１水平期間の間、電位Ｖuniとなっているが、少なくとも所定期間Ｔに電位Ｖuniとなっていればよい。これにより、この所定期間Ｔには、電位線ＬuniからアナログスイッチＡＳＷＵを介して各データ信号線に電位Ｖuniが出力される。同図に示すように、所定期間Ｔで、各データ信号線は、電位Ｖuniに安定するように予備充電される。
【０１０５】
予備充電後のデータ信号供給動作は実施の形態２と同じであり、突き上げ電位変動ΔＶ１１’は小さい。また、突き下げ電位変動も小さい。
【０１０６】
本実施の形態によれば、各組のデータ信号線を、各組のデータ信号供給期間以外にも電位Ｖuniに充電する充電動作が可能である。従って、連続して配置されている複数のデータ信号線を一組として時分割で駆動する表示装置において、表示時の突き上げまたは突き下げ電位変動を低減することのできる表示装置を実現することができる。また、実施の形態２の他の効果も同様に得られる。
【０１０７】
なお、予備充電を走査信号線ＧＬiの選択期間外に行うようにしてもよいことに対応して、データ信号線の各組のアナログスイッチＡＳＷＵ…は、各組の所定のデータ信号供給期間の直前のデータ信号供給期間後から、上記所定のデータ信号供給期間に各組の最初のデータ信号が供給開始されるまでの期間に導通する。
【０１０８】
〔実施の形態５〕
本発明のさらに他の実施形態について図９、図１３、および図１５に基づいて説明すると以下の通りである。
【０１０９】
本実施の形態では、表示装置の駆動方法については実施の形態１で説明した図９と全く同じである。図１３に示した本実施形態のタイミングチャートについて説明する。図中Ｒon・Ｇon・ＢonはアナログスイッチＡＳＷＲn・ＡＳＷＧn・ＡＳＷＢnをそれぞれ制御するためのスイッチ切り替え信号である。また、ＤＡＴＡnはｎ番目の組のＲＧＢ各データ信号線ＲＳＬn・ＧＳＬn・ＢＳＬnに供給するデータである。また、以下では、ＶＲＳＬn・ＶＧＳＬn・ＶＢＳＬnはｎ番目の組の各色のデータ信号線ＲＳＬn・ＧＳＬn・ＢＳＬnの電位を示すものとする。ＧＬiはｉ段目のゲートラインが選択されたときの波形を示している。本実施の形態では、各水平期間に所望のデータ信号をＲＧＢ各データ信号線に供給する前に同時にスイッチ切り替え信号Ｒon・Ｇon・Ｂonを所定の期間Ｔの間ＯＮ状態とし、あらかじめＲＧＢ各データ信号線ＲＳＬn・ＧＳＬn・ＢＳＬnを所定の電位Ｖuniに予備充電する。
【０１１０】
そして、この所定の電位Ｖuniの値として、データＤＡＴＡnがプラス極性の場合は、取り得るプラス極性の電位範囲の最大値を設定し、データＤＡＴＡnがマイナス極性の場合は、取り得るマイナス極性の電位範囲の最小値を設定する。すなわち、１Ｈ反転駆動のプラス極性の電位範囲が６Ｖ〜１０．５Ｖ、マイナス極性の電位範囲が１．５Ｖ〜６Ｖであるとすると、プラス極性の場合は最大値である１０．５Ｖ、マイナス極性の場合は最小値の１．５Ｖに設定されることになる。また、各データ信号線の充電電圧により各画素に配置された素子に印加される印加電圧は、所定の電位Ｖuniの、コモン電極の電位という基準電位からの差の電圧であるので、所定の電位Ｖuniは、素子に印加される電圧が最大となるように設定される電位すなわち各データ信号供給期間にデータ信号線に与え得る電位範囲のうち、上記基準電位から最も離れた電位である。
【０１１１】
データ信号線駆動回路のデータ出力回路が電位Ｖuniを出力開始してから所定期間Ｔの間にＲＧＢ各データ信号線ＲＳＬn・ＧＳＬn・ＢＳＬnの電位を電位Ｖuniに安定させる。したがって、所定期間Ｔに対して、各データ信号線が所定の電位Ｖuniに達するのに十分な値を設定する。
【０１１２】
この所定期間Ｔが終了するとデータ信号供給期間に入る。最初のデータＤＡＴＡn（Ｒ）をデータ信号線ＲＳＬnに供給するときには、既に電位Ｖuniに予備充電された状態からデータ信号による充電が開始される。従って、予備充電を行わない場合は、前のフレームでマイナス（プラス）極性のデータが充電された状態からプラス（マイナス）極性のデータ信号が書き込まれるのに対し、予備充電を行う場合は、プラス（マイナス）極性の最大値のデータで充電された状態からプラス（マイナス）極性のデータが書き込まれることになることから、データＤＡＴＡn（Ｒ）の供給の際のデータ信号線ＲＳＬnの電位ＶＲＳＬnの変動を小さくすることが可能となる。
【０１１３】
データＤＡＴＡn（Ｒ）の供給が終了すると、データ信号線ＧＳＬnへのデータＤＡＴＡn（Ｇ）の供給が開始されるが、データＤＡＴＡn（Ｒ）の供給時と同様に、予備充電が行われていることから、データ信号線ＧＳＬnの電位ＶＧＳＬnの変動を小さくすることが可能となる。従って、データＤＡＴＡn（Ｇ）の供給期間にフローティングになっているデータ信号線ＲＳＬnが、データＤＡＴＡn（Ｇ）の供給により受ける突き下げ電位変動ΔＶ１´は図１０の突き上げ電位変動ΔＶ１よりも小さい。
【０１１４】
データＤＡＴＡn（Ｇ）の供給が終了するとデータ信号線ＢＳＬnへのデータＤＡＴＡn（Ｂ）の供給が開始されるが、データ信号線ＢＳＬnも予備充電されていることで、データ信号線ＢＳＬnの電位ＶＢＳＬnの変動を小さくすることが可能である。従って、データＤＡＴＡn（Ｂ）信号供給期間にフローティングになっているデータ信号線ＲＳＬnが、データＤＡＴＡn（Ｂ）の供給により受ける突き下げ電位変動が累積された合計の突き下げ電位変動ΔＶ２´は、図１０の突き上げ電位変動ΔＶ２よりも小さい。また、データＤＡＴＡn（Ｂ）信号供給期間にフローティングになっているデータ信号線ＧＳＬnが、データＤＡＴＡn（Ｂ）の供給により受ける突き下げ電位変動ΔＶ３´は図１０の突き上げ電位変動ΔＶ３よりも小さい。したがって、１Ｈ区間において生じる電位変動は図１０の場合と比較して総合的に和らげられることになる。また、マイナス極性のときは小さな突き上げ変動が生じる。
【０１１５】
また、図１５に液晶の透過率と液晶印加電圧との関係を示す特性カーブ（Ｖ−Ｔカーブ）を示す。図から分かるように、Ｒ，Ｇ，Ｂの順にＶ−Ｔカーブが右へとシフトしている。これはＲＧＢ各単色の透過波長の違いによって屈折率が異なるためで、Ｒが波長が最も長く、Ｂが波長が最も短いことから同一の印加電圧に対してＲＧＢ各色の透過率ＴＲ・ＴＧ・ＴＢはＴＲ＜ＴＧ＜ＴＢの順となる。従来の形態である図１０のデータ信号線の電位の振る舞いによると、データ信号線ＲＳＬnの電位ＶＲＳＬnは２度突き上げを受けてΔＶ２分だけ電位が変動し、データ信号線ＧＳＬnは１度突き上げられてΔＶ３分だけ電位が変動し、データ信号線ＢＳＬnは一度も突き上げを受けない。
【０１１６】
従って、データ信号線ＲＳＬnの電位ＶＲＳＬnとデータ信号線ＧＳＬnの電位ＶＧＳＬnとは共に電位が高くなる方向、例えばノーマリーホワイトの場合では黒くなる方向へ変化することが分かる。これはもともと同一印加電圧でＴＲ＜ＴＧ＜ＴＢの順にシフトしていた特性をさらに広げる傾向にあることになるため、青味の強い表示となってしまう。これに対して、本実施の形態ではあらかじめプラス極性の最大値あるいはマイナス極性の最小値の電位に充電することで、変動したとしてもプラス極性のときは逆に突き下げる方向に、マイナス極性のときは逆に突き上げる方向になるような形態をとっていることで、もともとＴＲ＜ＴＧ＜ＴＢとシフトしていた特性を回復する傾向となるため、色味の差が生じない良好な表示品位が得られることになる。
【０１１７】
ここで、本実施の形態と特許文献３との相違について説明する。特許文献３では、ブロック毎にデータを転送する際に、ブロックの境界線上の信号線が電位の揺動を受けることで、ブロックの境目と周辺とで信号線の電位が異なる不具合を軽減することを目的としている。その手段として、正規の極性反転前に予行の極性反転時期を設けて、あらかじめ極性反転させることで、突き上げによる電位の揺動を和らげるというものである。
【０１１８】
これに対し本実施の形態では、プラス極性の最大値あるいはマイナス極性の最小値の電位まで充電を行って突き下げ効果を利用することで電位の揺動を和らげる駆動方法について講じており、かつこの突き下げ効果を用いることで色味の差の改善ができる点まで言及していることから特許文献３との差別化が可能である。
【０１１９】
〔実施の形態６〕
本発明のさらに他の実施形態について図５、図１４、および図１５に基づいて説明すると以下の通りである。
【０１２０】
本実施の形態では、装置の構成については実施の形態３で説明した図５と全く同じである。図１４に示したタイミングチャートについて説明する。このタイミングチャートは前述と同様、１Ｈ反転駆動のタイミングチャートである。各水平期間において、スイッチ切り替え信号Ｒon・Ｇon・ＢonをアナログスイッチＡＳＷＲn・ＡＳＷＧn・ＡＳＷＢnの導通期間がこの順で変わるように時分割でＯＮ状態とし、データＤＡＴＡn（Ｒ）・ＤＡＴＡn（Ｇ）・ＤＡＴＡn（Ｂ）を順次データ信号線ＲＳＬn・ＧＳＬn・ＢＳＬnに供給する。本実施形態では、各水平期間に、これらデータ信号出力のためにスイッチ切り替え信号Ｒon・Ｇon・ＢonをＯＮ状態とするデータ信号供給期間の前に、スイッチ切り替え信号Ｕcltを所定期間ＴだけＯＮ状態とし、同時にアナログスイッチＡＳＷＵＲn・ＡＳＷＵＧn・ＡＳＷＵＢnを導通させる。この動作はデータ信号線の各組に対して同時に行われることになる。
【０１２１】
このときに供給される所定の電位Ｖuniを、データＤＡＴＡnがプラス極性の場合は取り得るプラス極性の電位範囲の最大値に、データＤＡＴＡnがマイナス極性の場合は取り得るマイナス極性の電位範囲の最小値に設定する。すなわち、１Ｈ反転駆動のプラス極性の電位範囲が６Ｖ〜１０．５Ｖ、マイナス極性の電位範囲が１．５Ｖ〜６Ｖであるとすると、プラス極性の場合は最大値である１０．５Ｖに、マイナス極性の場合は最小値の１．５Ｖに設定されることになる。また、各データ信号線の充電電圧により各画素に配置された素子に印加される印加電圧は、所定の電位Ｖuniの、コモン電極の電位という基準電位からの差の電圧であるので、所定の電位Ｖuniは、素子に印加される電圧が最大となるように設定される電位すなわち各データ信号供給期間にデータ信号線に与え得る電位範囲のうち、上記基準電位から最も離れた電位である。これにより、所定期間Ｔには、電位線ＬuniからアナログスイッチＡＳＷＵを介して各データ信号線に所定の電位Ｖuniが供給される。
【０１２２】
予備充電後のデータ信号供給動作は実施の形態５と同じであり、プラス極性のとき、突き下げ電位変動ΔＶ１´・ΔＶ２´・ΔＶ３´は小さく、図１５を用いて前述したように、色味の差もほとんど生じない。マイナス極性のときは小さな突き上げ変動が生じて、同様の効果が得られる。
【０１２３】
なお、実施の形態５では予備充電を行うために例えばドライバ内部（ビデオ信号、サンプリングパルスタイミング）の調整を行うことになるが、本実施の形態では予備充電を行うための電源系を、従来の３ＳＳＤ駆動で用いているドライバとは全く別系統で設計できるため、設計に余裕を持つことができる。
【産業上の利用可能性】
【０１２４】
本発明は、容量性の画素をデータ信号線を介して充電することにより表示を行う表示装置に適用することができる。
【図面の簡単な説明】
【０１２５】
【図１】本発明の第１の実施形態を示すものであり、表示パネルの駆動を説明するタイミングチャートである。
【図２】第１の実施形態において、表示パネルの他の駆動を説明するタイミングチャートである。
【図３】第１の実施形態において、表示パネルのさらに他の駆動を説明するタイミングチャートである。
【図４】本発明の第２の実施形態を示すものであり、表示パネルの駆動を説明するタイミングチャートである。
【図５】本発明の第３の実施形態を示すものであり、表示パネルの構成を示す回路ブロック図である。
【図６】第３の実施形態において、表示パネルの駆動を説明するタイミングチャートである。
【図７】本発明の第４の実施形態を示すものであり、表示パネルの構成を示す回路ブロック図である。
【図８】第４の実施形態において、表示パネルの駆動を説明するタイミングチャートである。
【図９】ＳＳＤ方式で駆動される液晶表示装置の表示パネルの構成を示す回路ブロック図である。
【図１０】図９の表示パネルに対する従来の駆動を説明するタイミングチャートである。
【図１１】ＳＳＤ方式で駆動される液晶表示装置の表示パネルの他の構成を示す回路ブロック図である。
【図１２】図１１の表示パネルに対する従来の駆動を説明するタイミングチャートである。
【図１３】本発明の第５の実施形態を示すものであり、表示パネルの駆動を説明するタイミングチャートである。
【図１４】本発明の第６の実施形態を示すものであり、表示パネルの駆動を説明するタイミングチャートである。
【図１５】液晶の透過率と液晶印加電圧との関係を示すグラフである。
【符号の説明】
【０１２６】
１〜４        表示パネル
１５、２５    共通配線
ＡＳＷ        アナログスイッチ（スイッチ）
ＡＳＷＵ      アナログスイッチ（補助スイッチ）
ＤＡＴＡ      データ（データ信号）
ＧＬ          走査信号線
Ｌuni         電位線
ＰＩＸ        画素
ＲＳＬ、ＧＳＬ、ＢＳＬ、ＯＳＬ、ＥＳＬ
データ信号線
Ｖuni         電位(所定の電位)
【図１】
2005115342.tif 000003
【図２】
2005115342.tif 000004
【図３】
2005115342.tif 000005
【図４】
2005115342.tif 000006
【図５】
2005115342.tif 000007
【図６】
2005115342.tif 000008
【図７】
2005115342.tif 000009
【図８】
2005115342.tif 000010
【図９】
2005115342.tif 000011
【図１０】
2005115342.tif 000012
【図１１】
2005115342.tif 000013
【図１２】
2005115342.tif 000014
【図１３】
2005115342.tif 000015
【図１４】
2005115342.tif 000016
【図１５】
2005115342.tif 000017